(57)【特許請求の範囲】
【請求項１】
多数のループが連鎖状に結合してなる環縫い縫目を形成するための環縫いデータの作成方法において、
環縫い縫目の進行方向が折曲点で折曲するときの折曲角と該折曲点に形成されるループの起立高さとの関係に基づいて、嵩高の環縫い縫目を形成する箇所では、多数の折曲点を設けるとともに、該折曲点での折曲角を前記ループの起立高さが急増し始めるときの臨界折曲角より小さく設定することを特徴とする環縫いデータの作成方法。
【請求項２】
嵩高の環縫い縫目を形成する箇所では、連続するループ１０個のうちに２〜１０点の折曲点を設けることを特徴とする請求項１記載の環縫いデータの作成方法。
【請求項３】
多数のループが連鎖状に結合してなる環縫い縫目を形成するための環縫いデータの作成装置において、
環縫い縫目の進行方向が折曲点で折曲するときの折曲角と該折曲点に形成されるループの起立高さとの関係を入力する関係入力手段と、
環縫いデータを入力するデータ入力手段と、
前記データ入力手段により入力された環縫いデータに進行方向の折曲点が含まれるとき、その折曲点での折曲角が前記ループの起立高さが急増し始めるときの臨界折曲角より小さく設定されているか否かを、前記関係入力手段により入力された関係に基づいて判定する折曲角判定手段と、
前記折曲角判定手段により前記設定がなされていると判定された折曲点に形成されるループとそれ以外のループとを異なる表現態様にして、前記環縫いデータを表示するデータ表示手段と
を備えることを特徴とする環縫いデータの作成装置。
【発明の詳細な説明】
【０００１】
【発明の属する技術分野】
本発明は、多数のループが連鎖状に結合してなる環縫い縫目を形成するための環縫いデータの作成方法及び作成装置に関するものである。
【０００２】
【従来の技術】
図８に示すように、環縫いミシンは、予め作成された環縫いデータに基づいて、フック部５１を備えたかぎ針５２を上下動させるとともに加工布５３を送り、加工布５３に多数のループ５４が連鎖状に結合してなる環縫い縫目５５を形成する。従って、環縫いデータは、平面から見てループ５４をどのようなラインで連鎖させて平面模様を形成するかということに主眼をおいて作成されていた。なお、５６は針板、５７はかぎ針５２に糸を供給するルーパであり、加工布５３は刺繍枠（図示略）に張設されて送られる。
【０００３】
【発明が解決しようとする課題】
ところで、各ループ５４は一つ後に形成されるループ５４により順次絡められて倒されるため、環縫い縫目５５は加工布５３に密着した偏平な状態で形成される。従って、従来の環縫い縫目５５は平面的な模様を呈するだけで、三次元的な変化はなかった。
【０００４】
そこで、本発明の目的は、上記課題を解決し、所望の位置に嵩高の環縫い縫目を形成することができ、もってこれまで平面的であった環縫い縫目に三次元的変化という新しい意匠性を付与することができる環縫いデータの作成方法及び作成装置を提供することにある。
【０００５】
【課題を解決するための手段】
上記課題を解決するために、本発明の環縫いデータの作成方法は、環縫い縫目の進行方向が折曲点で折曲するときの折曲角と該折曲点に形成されるループの起立高さとの関係に基づいて、嵩高の環縫い縫目を形成する箇所では、多数の折曲点を設けるとともに、該折曲点での折曲角を前記ループの起立高さが急増し始めるときの臨界折曲角より小さく設定することを特徴としている。
【０００６】
ここで、嵩高の環縫い縫目を形成する箇所では、連続するループ１０個のうちに２〜１０点の折曲点を設けることが好ましい。
【０００７】
次に、本発明の環縫いデータの作成装置は、図１に示すように、環縫い縫目の進行方向が折曲点で折曲するときの折曲角と該折曲点に形成されるループの起立高さとの関係を入力する関係入力手段Ａと、環縫いデータを入力するデータ入力手段Ｂと、前記データ入力手段により入力された環縫いデータに進行方向の折曲点が含まれるとき、その折曲点での折曲角が前記ループの起立高さが急増し始めるときの臨界折曲角より小さく設定されているか否かを、前記関係入力手段により入力された関係に基づいて判定する折曲角判定手段Ｃと、前記折曲角判定手段により前記設定がなされていると判定された折曲点に形成されるループとそれ以外のループとを異なる表現態様にして、前記環縫いデータを表示するデータ表示手段Ｄとを備えることを特徴としている。
【０００８】
ここで、異なる表現態様としては、色彩（色相、彩度、明度等）、濃度、線の太さ等が異なる態様を例示できる。
【０００９】
【発明の実施の形態】
以下、本発明を実施した形態例について、図２〜図７を参照して説明する。
まず、図２は環縫いデータの作成装置を示し、その演算処理装置（マイクロコンピュータ）１はＣＰＵ２、ＲＯＭ３、ＲＡＭ４、入出力インターフェイス５等を備えている。演算処理装置１には、入力手段としてキーボード６、マウス７、デジタイザ８、イメージスキャナ９等が接続され、表示手段としてディスプレイ１０が接続され、印刷装置としてＸ−Ｙプロッタ１１、ハードコピー装置１２等が接続され、外部記憶装置としてフロッピーディスク装置１３、ハードディスク装置１４、テープパンチャ１５等が接続されている。フロッピーディスク装置１３は既存の環縫いデータ等の入力手段としても使用できる。ディスプレイ１０としては、ＣＲＴ、液晶ディスプレイ、プラズマディスプレイ等を例示できる。ハードコピー装置１２としては、ページプリンタ等を例示できる。
【００１０】
なお、同装置構成は一例に過ぎず、例えば外部記憶装置として、磁気テープ装置、磁気カード装置、光磁気ディスク装置、光ディスク装置、ＩＣカード装置等を使用することもできる。また、演算処理装置１と環縫いミシン（図示略）とを伝送ケーブル又は無線伝送装置で接続し、作成された環縫いデータを環縫いミシンに直接伝送することもできる。
【００１１】
さて、環縫いデータの作成方法は、以下に示すような手順で実施される。
（１）環縫い縫目の進行方向が折曲点で折曲するときの折曲角と該折曲点に形成されるループの起立高さとの関係を演算処理装置１に入力する。
そのためには、まず環縫いミシン（図示略）を使用して、図３に示すように、加工布２０に糸２１のループ２２を形成して連鎖状に結合し、かつ複数の折曲点Ｐ１，Ｐ２，Ｐ３，Ｐ４，Ｐ５，Ｐ６，Ｐ７で所定の折曲角に折曲させて、計測用の環縫い縫目２３を形成する。そして、図４に示すように、各折曲点Ｐ１〜Ｐ７に形成されるループ２２′の起立高さＨ（加工布２０の表面からループ２２′の最上端までの高さ）を手作業で計測する。
【００１２】
例えば、加工布２０としてフエルトを使用し、糸２１として３００Ｄ／２（太さ０．２ｍｍ）のレーヨン糸を使用し、ループ２２のループ長（図４のＬ）を２．５ｍｍとして環縫い縫目２３を形成したときにおける、各折曲点Ｐ１〜Ｐ７での折曲角とループ２２′の起立高さとの関係を表わす計測値を、次の表１と図６に示す。なお、折曲していない箇所（いわば折曲角１８０°）のループは起立しないが、見掛け上、起立高さは糸の太さすなわち０．２ｍｍということになる。
【００１３】
【表１】
0003556021.tif 000002
【００１４】
このように、折曲点での折曲角が小さくなると該折曲点に形成されるループの起立高さが高くなるのは、次の理由による。
すなわち、図５に示すように、各ループ２２は、加工布２０の表面から顔を出すループ基部２２ａと、その１８０°反対側においてターンをするループ頂部２２ｂとを含み、ループ頂部２２ｂが起立高さを決定する。
【００１５】
そして、折曲していない箇所のループ２２は、そのループ頂部２２ｂが、一つ後に形成されるループ２２のループ基部２２ａにより絡められて倒されるため、起立高さは最も低くなる。
しかし、折曲点に形成されるループ２２′に対し、一つ後に形成されるループ２２は斜め方向に進行する。従って、折曲点に形成されるループ２２′は、そのループ頂部２２ｂよりループ基部２２ａ側へ外れた部位が、その一つ後に形成されるループ２２のループ基部２２ａにより絡められるため、倒れ方が少なくなり、図５に矢印で示すように糸の腰によって起立し、起立高さが高くなるのである。さらに、折曲角が小さいほど、前記ループ２２′の一つ後のループ２２による絡み部位が、ループ頂部２２ｂよりループ基部２２ａ側へ外れてゆくため、起立高さは増加するのである。
【００１６】
このようにして計測した、折曲角とループの起立高さとの関係を表わす計測値は、キーボード６から演算処理装置１に入力する。
【００１７】
（２）環縫いデータを演算処理装置１に入力する。
環縫いデータは、環縫い縫目の進行方向を規定する平面模様の情報と、ループ長の情報とを含んで構成される。ループ長の情報はキーボード６、マウス７等で入力し、平面模様の情報は次に例示する方法で入力する。
▲１▼  デジタイザ８に型紙（図示略）を貼り付け、該型紙の輪郭をボタン・カーソル，スタイラス・ペン等のポインティング・デバイス（図示略）でピックアップすることにより行なう。
▲２▼  イメージスキャナ９で型紙（図示略）の輪郭を直接読み込んで行なう。
▲３▼  フロッピーディスク装置１３で既存の平面模様を記録したフロッピーディスクを読み込んで行なう。
【００１８】
図７は、ここで入力されて、後述するようにディスプレイ１０に表示された、環縫いデータの一例を示し、花びらを表わす湾曲模様の環縫いデータ３１と、花芯を表わす急なジグザグ模様の環縫いデータ３２とからなる。環縫いデータ３１の各ループ３０は緩やかなカーブで連鎖しているため、明確な折曲点はない。一方、環縫いデータ３２はループの２つに１つが折曲点に形成されたループ３０′であり、そのループ３０′を折曲点にないループ３０が連鎖している。
【００１９】
（３）演算処理装置１は、入力された折曲角とループの起立高さとの関係に基づいて、ループの起立高さが急増し始めるときの臨界折曲角を算出する。例えば表１の計測値が入力されている場合には、図６に示すように、臨界折曲角は７０°と算出する。
続いて、演算処理装置１は、入力された環縫いデータに進行方向の折曲点が含まれるとき、その折曲点での折曲角が前記臨界折曲角より小さく設定されているか否かを判定する。例えば、図７の環縫いデータ３１，３２が入力されている場合には、花芯を表わす環縫いデータ３２の折曲点での折曲角についてその判定を行ない、ここではその折曲角が前記臨界折曲角７０°より小さく設定されているとする。
【００２０】
（４）ディスプレイ１０は、演算処理装置１により折曲角が臨界折曲角より小さく設定されていると判定された折曲点に形成されるループとそれ以外のループとを異なる表現態様にして、環縫いデータを表示する。前述したように、図７は環縫いデータの表示例であり、ここでは、前記判定がなされた花芯を表わす環縫いデータ３２中の折曲点のループ３０′を濃い色で表現し、それ以外の環縫いデータ３１，３２中のループ３０を薄い色で表現している。
従って、濃い部分が、実際に環縫いが行なわれたときに嵩高のループが形成される所であり、薄い部分が、偏平なループが形成される所である、ということが一目瞭然となる。
【００２１】
（５）このディスプレイ１０の表示を見て、あるループを偏平から嵩高に変更したいと考えた場合には、マウス７の操作により、ディスプレイ１０中に表示されるマウスカーソル３３をそのループに移動して、キーボード６から折曲角を前記臨界折曲角より小さく設定し直せるようになっている。また、その逆の変更も可能である。
【００２２】
なお、前記（３）での臨界折曲角の算出は、前記（１）で折曲角とループの起立高さとの関係を入力したときに直ちに行なわれ、その臨界折曲角は必要に応じてディスプレイに表示できるようになっている。従って、すでに前記（２）の時点で、その表示された臨界折曲角に基づいて、嵩高の環縫い縫目を形成する箇所では、多数の折曲点を設けるとともに、該折曲点での折曲角を臨界折曲角より小さく設定する、ということが可能である。
【００２３】
以上のようにして作成された環縫いデータは、フロッピーディスクや伝送ケーブルを介して環縫いミシンの制御装置（図示略）に渡される。環縫いミシンは、例えば図７の環縫いデータに基づき、花芯の部分には嵩高の環縫い縫目を形成し、花びらの部分には偏平な環縫い縫目を形成する。
【００２４】
なお、本発明は前記実施形態の構成に限定されず、例えば以下のように、発明の趣旨から逸脱しない範囲で適宜変更して具体化することもできる。
（１）嵩高の環縫い縫目を形成する箇所で、連続するループ１０個のうちに２〜１０点の折曲点を設けた場合に、その折曲点の前後のループも、折曲点のループと同じ表現態様で表示すること。
【００２５】
【発明の効果】
以上詳述したように、本発明の環縫いデータの作成方法及び作成装置によれば、所望の位置に嵩高の環縫い縫目を形成することができ、もってこれまで平面的であった環縫い縫目に三次元的変化という新しい意匠性を付与することができる優れた効果を奏する。
【図面の簡単な説明】
【図１】本発明の基本的構成を示すブロック図である。
【図２】本発明の実施形態例に係る環縫いデータの作成装置の概略構成を示すブロック図である。
【図３】計測用の環縫い縫目を形成した加工布の平面図である。
【図４】同加工布の拡大断面図である。
【図５】同環縫い縫目の拡大平面図である。
【図６】同環縫い縫目の折曲点での折曲角とループの起立高さとの関係を表わすグラフである。
【図７】環縫い縫目を表示したディスプレイの正面図である。
【図８】環縫いミシンにより環縫い縫目を形成しているときの加工布を示す断面図である。
【符号の説明】
Ａ    関係入力手段
Ｂ    データ入力手段
Ｃ    折曲角判定手段
Ｄ    データ表示手段
１    演算処理装置
６    キーボード
７    マウス
８    デジタイザ
９    イメージスキャナ
１０    ディスプレイ
２０    加工布
２２    ループ
２２′  折曲点に形成されるループ
２３    環縫い縫目
【図１】
0003556021.tif 000003
【図２】
0003556021.tif 000004
【図３】
0003556021.tif 000005
【図４】
0003556021.tif 000006
【図５】
0003556021.tif 000007
【図６】
0003556021.tif 000008
【図７】
0003556021.tif 000009
【図８】
0003556021.tif 000010